【手続補正書】
【提出日】平成22年4月15日(2010.4.15)
【手続補正１】
【補正対象書類名】特許請求の範囲
【補正対象項目名】全文
【補正方法】変更
【補正の内容】
【特許請求の範囲】
【請求項１】
原稿を読み取るための画像読取部と、前記画像読取部により読み取られた原稿の画像情報を処理する画像処理部と、を有する画像読取装置において、
前記画像読取部と前記画像処理部の間で通信を行うためのフラットケーブルと前記画像読取装置内の導電性部材との間に、前記フラットケーブルにより伝送される信号の周波数に応じた厚さの非導電性部材を配設したことを特徴とする画像読取装置。
【請求項２】
前記画像読取部が、前記原稿を読み取る際に移動し、
前記画像読取部が移動する際に、前記フラットケーブルの非可動となる部分を固定する固定部を有することを特徴とする請求項１に記載の画像読取装置。
【請求項３】
原稿を読み取るための画像読取部と、前記画像読取部により読み取られた原稿の画像情報を処理する画像処理部と、を有する画像読取装置において、
前記画像読取部と前記画像処理部とを電気的に接続する複数のフラットケーブルと前記画像読取装置内の導電性部材との間に、前記フラットケーブルにより伝送される信号の周波数に応じた厚さの非導電性部材を配設し、
前記複数のフラットケーブルの間に前記フラットケーブルの信号線のインピーダンス整合を行う回路を設けたことを特徴とする画像読取装置。
【請求項４】
前記画像読取部が、前記原稿を読み取る際に移動し、
前記画像読取部が移動する際に、前記フラットケーブルの非可動となる部分を固定する固定部を有し、
前記固定部は、前記インピーダンス整合を行う回路を有することを特徴とする請求項３に記載の画像読取装置。
【請求項５】
前記フラットケーブルで接続する信号が、差動信号であることを特徴とする請求項３または４に記載の画像読取装置。
【請求項６】
前記導電性部材は、前記画像読取装置のフレームまたは板金であることを特徴とする請求項１乃至５のいずれか１項に記載の画像読取装置。
【手続補正２】
【補正対象書類名】明細書
【補正対象項目名】発明の名称
【補正方法】変更
【補正の内容】
【発明の名称】画像読取装置
【手続補正３】
【補正対象書類名】明細書
【補正対象項目名】０００１
【補正方法】変更
【補正の内容】
【０００１】
本発明は、画像読取部を有する画像読取装置に関するものであり、特に、複写機、プリンタ、ＦＡＸ等の電子写真装置に用いられる画像読取装置に関するものである。
【手続補正４】
【補正対象書類名】明細書
【補正対象項目名】０００４
【補正方法】変更
【補正の内容】
【０００４】
本発明は、以上の点に着目して成されたものであり、低コストで制御基板間の信号伝送を正確に行い、放射ノイズを低減する画像読取装置を提供することを課題とする。
【手続補正５】
【補正対象書類名】明細書
【補正対象項目名】０００５
【補正方法】変更
【補正の内容】
【０００５】
前記課題を解決するために、本発明の画像読取装置は、以下の構成を備える。
【手続補正６】
【補正対象書類名】明細書
【補正対象項目名】０００６
【補正方法】変更
【補正の内容】
【０００６】
（１）原稿を読み取るための画像読取部と、前記画像読取部により読み取られた原稿の画像情報を処理する画像処理部と、を有する画像読取装置において、前記画像読取部と前記画像処理部の間で通信を行うためのフラットケーブルと前記画像読取装置内の導電性部材との間に、前記フラットケーブルにより伝送される信号の周波数に応じた厚さの非導電性部材を配設したことを特徴とする画像読取装置。
（２）原稿を読み取るための画像読取部と、前記画像読取部により読み取られた原稿の画像情報を処理する画像処理部と、を有する画像読取装置において、前記画像読取部と前記画像処理部とを電気的に接続する複数のフラットケーブルと前記画像読取装置内の導電性部材との間に、前記フラットケーブルにより伝送される信号の周波数に応じた厚さの非導電性部材を配設し、前記複数のフラットケーブルの間に前記フラットケーブルの信号線のインピーダンス整合を行う回路を設けたことを特徴とする画像読取装置。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】変更
【補正の内容】
【０００８】
本発明によれば、フラットケーブルの信号線のインピーダンスの低下を防ぐことができるため、低コストで正確な高速信号伝送を行うことが可能になり、放射ノイズを低減することが可能になる。
【手続補正９】
【補正対象書類名】明細書
【補正対象項目名】００１１
【補正方法】変更
【補正の内容】
【００１１】
画像読取ユニット２０１は、光電変換素子（例えばＣＣＤセンサ）を実装する画像読取基板２０２（画像読取部）を持つ。一方、画像形成ユニット１０１は、イメージコントローラ基板１０２（画像処理部）を備える。イメージコントローラ基板１０２は、画像読取基板２０２で読み取った画像データ（画像情報）や、図示しない外部装置（例えばパーソナルコンピュータ、以下ＰＣと記す）からの画像データの画像処理や、通信を行う。また、イメージコントローラ基板１０２からの画像形成情報に基づいて画像形成ユニット１０１の記録用紙搬送や、トナー補給制御、定着制御等を制御するエンジンコントローラ基板１０３を備える。画像読取基板２０２は、イメージコントローラ基板１０２とフラットケーブル３０１により電気的に接続される。これにより、フラットケーブル３０１を介して通信することによって、画像読取制御を行うことができる。
【手続補正１０】
【補正対象書類名】明細書
【補正対象項目名】００１９
【補正方法】変更
【補正の内容】
【００１９】
画像読取ユニット２０１は、光電変換素子（例えばＣＣＤセンサ）を実装する画像読取基板２０２を備える。一方、画像形成ユニット１０１は、画像読取基板２０２で読み取った画像データ（画像情報）や、図示しない外部装置（例えばＰＣ）からの画像データの画像処理や、通信を行うイメージコントローラ基板１０２を備える。また、イメージコントローラ基板１０２からの画像形成情報に基づいて画像形成ユニット１０１の記録用紙搬送や、トナー補給制御、定着制御等を制御するエンジンコントローラ基板１０３を備える。さらに、複数のフラットケーブル３１１、３１２を中継して接続し、板金３１５（導電性部材）にビス止めされる中継基板３１０（インピーダンス整合を行う回路）を備える。画像読取基板２０２は、イメージコントローラ基板１０２とフラットケーブル３１１、３１２、中継基板３１０を介して通信することによって、画像読取制御を行うことができる。なお、３０４はクランプ、３１３、３１４は樹脂部材（非導電性部材）である。
【手続補正１１】
【補正対象書類名】明細書
【補正対象項目名】００２０
【補正方法】変更
【補正の内容】
【００２０】
図５は、信号線のインピーダンスマッチング（インピーダンス整合）を行うための中継基板の回路の一例である。フラットケーブル３１１、３１２を介して伝送する信号線を、中継基板３１０内で終端する回路構成を示す。イメージコントローラ基板１０２で、差動信号に変換された信号は、フラットケーブル３１１を介して中継基板３１０へ伝送される。中継基板３１０では、信号線のインピーダンスマッチングを行うため、抵抗Ｒ１、Ｒ２からコンデンサＣ１を介して板金３１５と共通化されたＧＮＤ（グランド）へ終端する回路を備える。その後、信号は再びフラットケーブル３１２を介して、画像読取基板２０２へ伝送され、シングルエンドへ変換される。
【手続補正１２】
【補正対象書類名】明細書
【補正対象項目名】００２１
【補正方法】変更
【補正の内容】
【００２１】
このように、信号線を中継基板３１０上でＧＮＤへ終端することで、反射の影響を小さくすることができ、放射ノイズの低減を図ることができる。図４には図示しないが、画像読取基板２０２から、フラットケーブル３１２、中継基板３１０、フラットケーブル３１１を介して、イメージコントローラ基板１０２へ伝送する信号に関しても、同様なことが言える。
【手続補正１３】
【補正対象書類名】明細書
【補正対象項目名】００２５
【補正方法】変更
【補正の内容】
【００２５】
１０１                  画像形成ユニット（画像形成部）
１０２                  イメージコントローラ基板（画像処理部）
１０３                  エンジンコントローラ基板
２０１                  画像読取ユニット
２０２                  画像読取基板（画像読取部）
３０１、３１１、３１２  フラットケーブル
３０２、３１３、３１４  樹脂部材（非導電性部材）
３０３、３１５          板金（導電性部材）
３０４                  クランプ（固定部）
３１０                  中継基板（インピーダンス整合を行う回路）